【手続補正書】
【提出日】平成15年5月28日(2003.5.28)
【手続補正１】
【補正対象書類名】明細書
【補正対象項目名】特許請求の範囲
【補正方法】変更
【補正の内容】
【特許請求の範囲】
【請求項１】
選択自動消火ノズルであって、
調整可能な排出オリフィスにおいて終端する消火流体導管を規定する前記ノズルの本体部分を備え、
前記調整可能な排出オリフィスは、得られる範囲にわたって自動的に相対的な調整を行う要素によって少なくとも部分的に規定され、
オリフィスを規定する要素間で自動相対調整の範囲を、前記得られる範囲内でさらに制限するように調整可能な、前記ノズル本体に接続されたストップを備えた選択自動消火ノズル。
【請求項２】
フローウィンドウは、前記調整可能な排出オリフィスの調整の有効範囲によって規定され、前記ストップは、前記ノズル本体に調整可能に設けられ、前記ノズルが、前記フローウィンドウの第１の部分に対して可変流量かつほぼ一定の圧力で流れ、前記フローウィンドウの第２の部分に対して可変圧力かつ比較的一定の流量で流れるように前記フローウィンドウを分割する請求項１に記載の装置。
【請求項３】
前記ストップは、浮遊バッフルの前方移動を制限する請求項１または１４に記載の装置。
【請求項４】
選択自動消火ノズルであって、
調整可能な排出オリフィスにおいて終端する消火流体導管を規定する前記ノズルの本体部分を備え、
前記調整可能な排出オリフィスは、得られる範囲内で自動的に調整可能であり、
前記得られる範囲内で前記オリフィスの自動的な調整の範囲をさらに制限するための調整可能な手段を備えた選択自動消火ノズル。
【請求項５】
前記ノズルは、自己排気泡噴霧ノズルである請求項１、４、１４または１６に記載の装置。
【請求項６】
前記ノズルは、自己計量自己排気泡噴霧ノズルである請求項１、４、１４または１６に記載の装置。
【請求項７】
自動的に変化する排出オリフィスを有する自動消火ノズルを操作する方法であって、前記ノズルは、変化する供給圧力を受け、
標準供給圧力で動作する前記ノズルの最大可能な流量未満の流量を標的とすることを含み、前記最大可能な流量は、ノズル構造によって提供される前記排出オリフィスの最大開口に対応し、
ほぼ前記標的流量までの流体流量について、前記ノズルを通って流れる消火流体に対して、選択された消火流体排出圧力をほぼ維持すること、
前記標的流量に到達すると、（ほぼ）流体流量を維持しながら、流体排出圧力を前記選択された排出圧力を超えて上昇させることを含む方法。
【請求項８】
前記オリフィスの調整の有効範囲内で自動的に調整可能な排出オリフィスの調整を制限することによって圧力を上昇させることを含む請求項７または１７に記載の方法。
【請求項９】
前記ノズルへの泡濃縮物の排気を含む請求項８に記載の方法。
【請求項１０】
前記排出オリフィスが調整されると、前記ノズルに対して泡濃縮物を調整可能に計量することを含む請求項９に記載の方法。
【請求項１１】
選択自動消火ノズルであって、
調整可能な排出オリフィスにおいて終端する消火流体導管を規定する前記ノズルの本体部分を備え、
前記調整可能な排出オリフィスは、得られる範囲にわたって自動的に相対的な調整を行う要素によって少なくとも部分的に規定され、
オリフィスを規定する要素間で自動相対調整の範囲を、前記得られる範囲内でさらに制限するように調整可能な、前記ノズル本体に接続されたストップを備え、
フローウィンドウは、前記調整可能な排出オリフィスの調整の有効範囲によって規定され、前記ストップは、前記ノズル本体に調整可能に設けられ、前記ノズルが、前記フローウィンドウの第１の比較的低い流量部分に対して可変流量かつほぼ一定の圧力で流れ、前記フローウィンドウの第２の比較的高い流量部分に対して可変圧力かつ比較的一定の流量で流れるように前記フローウィンドウを分割する選択自動消火ノズル。
【請求項１２】
選択自動消火ノズルであって、
調整可能な排出オリフィスにおいて終端する消火流体導管を規定する前記ノズルの本体部分を備え、
前記調整可能な排出オリフィスは、得られる範囲にわたって自動的に相対的な調整を行う要素によって少なくとも部分的に規定され、
オリフィスを規定する要素間で自動相対調整の範囲を、前記得られる範囲内でさらに制限するように調整可能な、前記ノズル本体に接続されたストップを備え、
前記ストップは、浮遊バッフルの前方移動を制限する選択自動消火ノズル。
【請求項１３】
変化する供給圧力を受ける自動消火ノズルを操作する方法であって、
標的流量までの流体流量について、前記ノズルを通って流れる消火流体に対して、選択された消火流体排出圧力をほぼ維持すること、
標的流量に到達すると、（ほぼ）流体流量を維持しながら、流体排出圧力を前記選択された排出圧力を超えて上昇させること、および
自動的に調整可能な排出オリフィスの調整を前記オリフィスの得られる調整範囲内で制限することによって圧力を上昇させることを含む方法。
【請求項１４】
選択自動消火ノズルであって、
可変排出オリフィスにおいて終端する消火流体導管を規定するノズル本体を備え、前記オリフィスは、少なくとも部分的に消火流体圧力の変化に応答して最小開口と最大開口との間で変化し、
前記最大オリフィス開口に対する選択可変範囲を提供する少なくとも部分的に調整可能なノズル要素を備えた選択自動消火ノズル。
【請求項１５】
前記最大オリフィス開口に対する選択可変範囲の最大はフローウィンドウを規定し、前記ノズル要素は、前記ノズル本体に調整可能に設けられ、最大オリフィス開口を規定するストップを含み、前記ノズルが前記フローウィンドウの第１の部分に対しては可変流量かつほぼ一定の圧力で流し、前記フローウィンドウの第２の部分に対しては可変流量かつ相対的に一定の流量で流すように前記フローウィンドウを分割する請求項１に記載の装置。
【請求項１６】
選択自動消火ノズルであって、
可変排出オリフィスにおいて終端する消火流体導管を規定するノズル本体を備え、前記オリフィスは、少なくとも部分的に消火流体圧力の変化に応答して最小開口と最大開口との間で自動的に変化し、
前記オリフィスの自動調整の範囲を変化させる選択可変手段を備えた選択自動消火ノズル。
【請求項１７】
変化する供給圧力を受ける自動消火ノズルを操作する方法であって、
標準的な供給圧力で動作する際、前記ノズルに対して可能な最大流量未満の流量を標的とすること、
ほぼ前記標的の流量未満および流量までの消火流体流量に対してほぼ一定の消火流体排出圧力を維持すること、
前記標的の流量におけるまたは流量を超えた消火流体流量に対する前記一定の排出圧力を越えて流体排出圧力を上昇させ、それによって、流体流量をほぼ一定に維持することを含む方法。
【請求項１８】
自動調整可能な排出オリフィスの範囲を選択的に変化させることによって、圧力を上昇させることを含む請求項１７に記載の方法。
【請求項１９】
泡濃縮物を前記ノズルに排気することを含む請求項１７または１８に記載の方法。
【請求項２０】
前記排出オリフィスが調整されると、泡濃縮物を前記ノズルに調整可能に計量することを含む請求項９に記載の方法。
【請求項２１】
選択自動消火ノズルであって、
可変排出オリフィスにおいて終端する消火流体導管を規定するノズル本体を備え、前記調整可能なオリフィスは、少なくとも部分的に消火流体圧力の変化に応答して最小と最大との間で自動的に変化し、
前記排出オリフィスの自動調整の範囲を選択的に変化させるように調整可能であるノズル要素を備え、
フローウィンドウは、前記排出オリフィスの調整の最大範囲によって規定され、少なくとも１つのノズル要素は、前記ノズルがより低い流量に対しては可変流量かつほぼ一定の圧力で流し、より高い流量に対しては可変圧力かつ比較的一定の流量で流すように前記フローウィンドウを分割するように、前記ノズル本体に調整可能に配置可能である選択自動消火ノズル。
【請求項２２】
選択自動消火ノズルであって、
可変排出オリフィスにおいて終端する消火流体導管を規定するノズル本体を備え、
前記排出オリフィスは、ノズル要素によって規定される開口の範囲にわたって、少なくとも部分的に消火流体圧力に応答して自動的に変化し、
前記範囲は、最大の選択可変位置を有する選択自動消火ノズル。
【請求項２３】
少なくとも１つのノズル要素は、浮遊バッフルの前方移動を制限する請求項１２に記載のノズル。
【請求項２４】
変化する供給圧力を受ける自動消火ノズルを操作する方法であって、
前記ノズルに対する標的の流量を選択することを含み、前記標的は、前記ノズルの最大流量未満であり、前記最大は、少なくとも部分的に、前記ノズルの排出オリフィスの最大の選択可変開口によって規定され、
前記標的の流量未満および流量までの流体流量に対しては、前記ノズルを通って流れる消火流体に対して（ほぼ）選択された消火流体排出圧力を維持すること、
標的の流量に到達しそれを越えると流体流量を（ほぼ）一定に維持しながら、前記選択された排出圧力を越えて流体排出圧力を上昇させること、
前記オリフィスの調整の選択可変範囲内で自動的に調整可能な排出オリフィスの調整を制限することによって前記圧力を上昇させることを含む方法。
【請求項２５】
選択自動消火ノズルであって、
排出オリフィスにおいて終端する消火流体導管を規定するノズル本体を備え、
前記排出オリフィスは、範囲にわたって、少なくとも部分的に相対的に自動調整される要素によって規定され、
オリフィスを規定する要素間の自動相対調整の範囲を制限するように選択的に調整可能な、前記ノズル本体に接続されたストップを備えた選択自動消火ノズル。
【請求項２６】
フローウィンドウは、前記調整可能な排出オリフィスによって規定され、前記ストップは、前記ノズルが、前記フローウィンドウの第１の部分に対しては可変流量かつほぼ一定の圧力で流し、前記フローウィンドウの第２の部分に対しては可変圧力かつ比較的一定の流量で流すように前記フローウィンドウを分割するように、前記ノズル本体に選択的に調整可能に配置可能である請求項１４に記載の装置。
【請求項２７】
選択自動消火ノズルであって、排出オリフィスにおいて終端する消火流体導管を規定するノズル本体を備え、
前記排出オリフィスは、範囲内で自動的に調整可能であり、
前記オリフィスの自動調整の範囲を制限するための選択的に調整可能な手段を備えた選択自動消火ノズル。